(57)【要約】【課題】照明器具の状態により大きな影響を受けることなく、適切な照明制御を行う。【解決手段】照明器具の光源により照射される照射面に対向するセンサ面を有し、照射面の照度を検出するセンサ素子１５と；センサ素子１５のセンサ面に対向する位置に開口部１６を有し、センサ素子１５を収納保持すると共に光を吸収する内壁を備えるセンサ収納室１３と；収納室の開口部１６を構成し、開口部１８の内側開口面１８ａと鋭角をなす開口周縁面１８とを具備する。【選択図】図４
2011003321.tif 000002
【特許請求の範囲】
【請求項１】
照明器具の光源により照射される照射面に対向するセンサ面を有し、照射面の照度を検出するセンサ素子と；
センサ素子のセンサ面に対向する位置に開口部を有し、センサ素子を収納保持すると共に光を吸収する内壁を備えるセンサ収納室と；
収納室の開口部を構成し、開口部の内側開口面と鋭角をなす開口周縁面と
を具備することを特徴とする照度センサ。
【請求項２】
前記照度センサは、照明器具の本体天井部に取り付けられるセンサ固定器具と、照明器具の反射板に結合する結合部を有し、センサ素子を保持するセンサケースと、照明器具の本体天井部から反射板までの距離に応じて、センサ固定器具とセンサケースの位置を自在に調整する位置調整手段と、を具備することを特徴とする請求項１に記載の照度センサ。
【請求項３】
光源と；
光源を配している器具本体と；
請求項１または２に記載の照度センサと；
照度センサにより検出される照度に基づき光源の点灯制御を行う点灯回路と
を具備することを特徴とする照明器具。
【発明の詳細な説明】
【技術分野】
【０００１】
この発明は、照明器具に実装される照度センサ及び照明器具に関するものである。
【背景技術】
【０００２】
照明器具に実装される照度センサにおいては、照明器具の光源により照射される照射面の照度を検出するものである。即ち、照明器具の光源による影響が排除されることが望ましく、照度センサの受光側面を光源よりも外側（照明対象側）に位置付けるなどの工夫がなされている。
【０００３】
しかしながら、多くの照度センサはセンサ素子がカバーよりも突出した形状であり、光源による影響を排除することは難しい（特許文献１参照）。これに対し、センサ収納室５１を備え、センサ室５１の天井部分にセンサ素子５０を設けた図９に示す照度センサ５も開発されている。この図９の照度センサ５は、開口部５２が天井部と対向する側に設けられており、照明器具の光源による影響を排除し易い構成となっている。
【０００４】
しかしながら、光源が開口部５２の前側に存在する場合には、開口部５２の鉛直壁面５３により光源が反射されてセンサ室５１に入り込む。そして、光源の位置によっては開口部５２の鉛直壁面５３により反射された光がセンサ素子５０へ到達することもあった。
【０００５】
更に、照明器具に照度センサを設ける場合には、照度センサの開口面が照明器具の反射板などの所定位置に位置付けられていることが望ましい。しかしながら、照明器具の機種によって本体天井部から反射板までの距離が異なり、一種類の照度センサにより対応することは難しかった。
【０００６】
また、建造部の上部から突出したボルトに器具を通し、ナットで締め付けて天井部に固定するタイプの照明器具もあり（特許文献２参照）、このタイプの照明器具ではナットによる締め付け状態に応じて本体天井部から反射板までの距離が一定とならず、照度センサの開口面の位置が様々となり、適切な照明制御を行うことができないという問題が発生した。
【発明の概要】
【発明が解決しようとする課題】
【０００７】
本発明は上記のような従来の照度センサにおける問題点を解決せんとしてなされたもので、その目的は、照明器具の状態により大きな影響を受けることなく、適切な照明制御を行うことができる照度センサを提供することである。また、この照度センサを用いた照明器具を提供することを他の目的とする。
【課題を解決するための手段】
【０００８】
本発明に係る照度センサは、照明器具の光源により照射される照射面に対向するセンサ面を有し、照射面の照度を検出するセンサ素子と；センサ素子のセンサ面に対向する位置に開口部を有し、センサ素子を収納保持すると共に光を吸収する内壁を備えるセンサ収納室と；収納室の開口部を構成し、開口部の内側開口面と鋭角をなす開口周縁面とを具備することを特徴とする。
【０００９】
光源は、各種ランプやＬＥＤなどを許容する。開口部の内側開口面とは、センサ収納室の開口部側における内壁面を意味する。開口周縁面を有する壁厚は、反射面の幅を狭くする観点から薄いほど好適である。
【００１０】
本発明に係る照度センサは、照明器具の本体天井部に取り付けられるセンサ固定器具と、照明器具の反射板に結合する結合部を有し、センサ素子を保持するセンサケースと、照明器具の本体天井部から反射板までの距離に応じて、センサ固定器具とセンサケースの位置を自在に調整する位置調整手段と、を具備することを特徴とすることを特徴とする。
【００１１】
本発明に係る照明器具は、光源と；光源を配している器具本体と；請求項１または２に記載の照度センサと；照度センサにより検出される照度に基づき光源の点灯制御を行う点灯回路とを具備することを特徴とする。
【発明の効果】
【００１２】
本発明に係る照度センサによれば、開口部の内側開口面と鋭角をなす開口周縁面が開口部に備えられているので、開口部の上記開口周縁面に照射する光は、センサ収納室外部か或いはセンサ収納室内におけるセンサ素子外の位置へと反射され、照明器具の光源による影響を排除することができ、適切な照明制御を行うことが可能となる。
【００１３】
本発明に係る照度センサによれば、照明器具の本体天井部から反射板までの距離に応じて、センサ固定器具とセンサケースの位置を自在に調整する位置調整手段を具備しているので、照明器具の本体天井部から反射板までの距離が異なる機種に対応でき、また、取り付け状態により照明器具の本体天井部から反射板までの距離が変更する場合にも対応でき、適切な照明制御を行うことが可能となる。
【００１４】
本発明に係る照度器具によれば、請求項１または２に記載の照度センサを備えているので、適切な照明制御を行うことが可能となる。
【図面の簡単な説明】
【００１５】
【図１】本発明に係る照明器具の実施例の概略を示す斜視図。
【図２】本発明に係る第１の実施形態に係る照度センサを適用した照明器具の要部概略を示す斜視図。
【図３】本発明に係る照度センサの第１の実施形態を示す一部断面斜視図。
【図４】本発明に係る照度センサの第１の実施形態による作用を示す一部省略断面斜視図。
【図５】本発明に係る照度センサの第２の実施形態を示す組み立て斜視図。
【図６】本発明に係る第２の実施形態に係る照度センサを適用する照明器具の要部概略を示す断面図。
【図７】本発明に係る第２の実施形態に係る照度センサを適用した照明器具の要部概略を示す断面図。
【図８】本発明に係る第２の実施形態に係る照度センサを適用した別機種の照明器具の要部概略を示す断面図。
【図９】従来例に係る照度センサによる作用を示す一部省略断面斜視図。
【発明を実施するための形態】
【００１６】
以下、添付図面を参照して本発明に係る照度センサの実施例及びそれを用いた照明器具の実施例を説明する。各図において、同一の構成要素には同一の符号を付して重複する説明を省略する。照度センサ１０は、図１と図２に示すように照明器具２０の器具本体２１に取り付けられ、反射板２２から光照射側へ突出した状態とされている。
【００１７】
照度センサ１０は、四角筒状のケース１１を備えている。ケース１１の概ね中央部から下側に回路基板１２が縦方向に実装されており、回路基板１２の下端部側は、センサ収納室１３とリセットボタン１４の機構を収納する収納室に左右で分けられている。
【００１８】
センサ収納室１３の内部は円筒状であり、光吸収材料が塗布などにより設けられ、天井部に照度を検出すためのセンサ素子１５が備えられている。センサ素子１５は、照明器具の光源である蛍光ランプ２３により照射される照射面に略平行であって、この照射面に対向するセンサ面を有し、上記照射面（照明対象）の照度を検出するものである。ケース１１の天井部と対向する面には開口部１６が形成され、開口部１６は透明や半透明のシート１７により塞がれて、光のみが通過可能とされている。
【００１９】
開口部１６は、ほぼ円形の開口周縁面１８により構成されるものであり、開口周縁面１８は、図３及び図４における底部に設けられている薄い蓋板１９に形成されている。蓋板１９の肉厚を薄くすることにより開口周縁面１８を幅狭に構成でき、反射光がセンサ収納室１３に入光しないように構成することができる。蓋板１９の内壁面１９ａと開口周縁面１８とは鋭角αを呈し、蓋板１９の外壁面１９ｂと開口周縁面１８とは鈍角βを呈する（図４（ｂ））。開口周縁面１８を通りセンサ収納室１３に延びる仮想線分Ｌがセンサ素子１５に当たらないように、上記鋭角α及び鈍角βが選定される。
【００２０】
以上の通りに構成された開口周縁面１８を有するために、照明器具の光源である蛍光ランプ２３により照射され、開口周縁面１８に向かう光線Ｒｉ１、Ｒｉ２、Ｒｉ３は図４に示されるように開口周縁面１８に垂直な線分Ｃを中心として入射角と同じ反射角にて反射されて反射光Ｒo１、Ｒo２、Ｒo３となり、センサ素子１５に到達することはなく、センサ素子１５は、照明器具の蛍光ランプ２３により照射される照射面側（照明対象）からの光のみ受けて照度検出を行う。即ち、照度検出の対象範囲外から到来する蛍光ランプ２３の直接光が照度検出に影響することはなく、適切な照度検出を行う。
【００２１】
照度センサ１０に備えられているリセットボタン１４の操作信号は、回路基板１２において検出されるように構成されており、照度信号及びこのリセットボタン１４による操作信号は図示しないリード線によりケース１１の上部室を介して点灯回路３０に送られる。点灯回路３０は、照度センサ１０により検出される照度に基づき光源である蛍光ランプ２３の点灯制御を行うものであり、リセットボタン１４の操作信号を受けて初期照度補正のリセットを行う。
【００２２】
具体的には、照明器具の取り付け時や蛍光ランプ２３の交換時などの初期状態では、蛍光ランプ２３の照度が最大であるので、リセットボタン１４の操作信号を受けて初期照度補正により最大の調光度が７０％となるように照明を行い、所定時間となるまでに徐々に経時的に最大の調光度を上げるようにする照明制御を行う。この制御と共に点灯回路３０は、照度センサ１０により得られる照度信号のレベルが一定となるように照明制御を行う。つまり、照度センサ１０により得られる照度信号のレベルを一定となるように調光度を変化させるが、調光度は初期照度補正で設定された最大の調光度以上にはならないように制御される。本実施形態の照明器具は、このような制御を行うのであるが、前述の通りに開口周縁面１８が構成されていることから、照明器具の光源である蛍光ランプ２３による影響を排除することができ、適切な照明制御を行うことが可能となる。
【００２３】
次に、第２の実施形態に係る照度センサを説明する。この照度センサ３０は図５に示されるように、四角筒状のセンサケース３１を備え、図７に示すように下側の蓋板３１Ｄからは照度を検出するセンサ素子３９が外側に突出している特許文献１に記載のタイプである。センサ素子３９に並ぶように蓋板３１Ｄには、図示しないリセットボタンが設けられている。
【００２４】
センサケース３１の上方からは、センサ固定器具３３が挿入される。センサ固定器具３３は、センサケース３１の側壁に沿うように立設された一対の脚部３２と、一対の脚部３２を結ぶブリッジ部３４と、一対の脚部３２におけるブリッジ部３４と対向する側の端部に連結して外側へ折り返されると共にネジ穴３５ａが穿設された基部３５とを備える。
【００２５】
一対の脚部３２には長手方向に直線状につながる長孔３２ａが穿設されている。一対の脚部３２に隣接するセンサケース３１の側壁上部には透孔３６が穿設され、透孔３６には、シャフト３７ａを備える鋲体３７が嵌合され長孔３２ａに透通されている。また、センサケース３１の下端部に近い位置には、外周壁を一周するように突出された突条３８が形成されている。
【００２６】
図３に示した回路基板１２に対応する構成はセンサケース３１内に、センサ固定器具３３を避けるように設けられており、センサ素子３９により検出される照度信号及びリセットボタンによる操作信号は図示しないリード線によりセンサケース３１の内室を介して点灯回路３０に送られる。
【００２７】
以上の構成において図７に示されるように、センサ固定器具３３の基部３５がネジ穴３５ａを介するネジにより照明器具２０Ａの器具本体２１Ａにおける天井部２４に固定保持される。センサケース３１と対応する反射板２２の位置には、突条３８がストッパとして機能するように透孔２５が蓋板３１Ｄよりやや大きく形成されている。照度センサ３０におけるセンサケース３１側はセンサ固定器具３３に吊され、且つ自重により鋲体３７のシャフト３７ａが長孔３２ａ内を摺動し、照明器具２０Ａの器具本体２１Ａにおける天井部２４から反射板２２までの距離に追従する。この構成は、センサ固定器具３３とセンサケース３１の位置を自在に調整する位置調整手段を構成する。
【００２８】
器具本体２１Ａに建造部の上部から突出したボルトＢを貫通させ、ナットＮで締め付けるタイプの図６に示される照明器具２０Ａにおいて上記照度センサ３０を適用する。この器具本体２１Ａは、図１に示した器具本体２１とほぼ同様に、長尺の平面形状が四角い天井部２４の二長辺から直角に吊り下げられた側板２６を備えている。側板２６の高さ方向の中央部には、水平な支持板２７が側板２６に溶着などによって固定されて設けられている。支持板２７の長手方向両端部にはソケット２８が二対設けられ、二本の蛍光ランプ２３が装着されている。また、支持板２７には反射板２２がツマミ部付ネジ２９により設けられている。反射板２２は、支持板２７に沿った形状の天板部２２aと、この天板部２２aの二長辺から外に広がるように傾斜しながら下方へ延びている側板部２２ｂを備える。
【００２９】
上記器具本体２１Ａに照度センサ３０を適用することにより、図７に示すようにセンサケース３１の自重により鋲体３７のシャフト３７ａが長孔３２ａ内を摺動する。このため、ナットＮによる締め付け状態が様々であって天井部２４が上に凸の形状に湾曲しても照明器具の器具本体における天井部２４から反射板２２までの距離に対応して、センサ素子３９の前面先端位置が蛍光ランプ２３との関係において変化しない。このため、ナットＮによる締め付け状態に拘わりなく適切な照明制御を行うことが可能となる。
【００３０】
図８は、寸法の異なる機種の照明器具２０Ｂを示し、照明器具２０Ｂの器具本体２１Ｂにおける天井部２４から反射板２２までの距離が、図７のものと異なる照明器具２０Ｂを示す。この照明器具２０Ｂに照度センサ３０を適用した場合にも、図８に示すようにセンサケース３１の自重により鋲体３７のシャフト３７ａが長孔３２ａ内を摺動する。照明器具２０Ｂの器具本体２１Ｂにおける天井部２４から反射板２２までの距離に対応して、センサ素子３９の前面先端位置が蛍光ランプ２３との関係において変化しない。このため、機種に拘わりなく適切な照明制御を行うことが可能となる。
【００３１】
なお、図５に示した照度センサ３０は、センサ素子３９がセンサケース３１から突出したものを示したが、図３に示すようにセンサ収納室１３内にセンサ素子１５を備えるタイプであっても、図５の位置調整手段を有する構成を採用することが可能である。つまり、図３の回路基板１２が実装されている部分より上のケース１１における上部室において、図５に示した構成を採用することにより、第２の実施形態と同様の機能を有する照度センサを提供することができる。
【００３２】
また、照度センサ３０は、その下端が蛍光ランプ２３の下端よりも下方に位置している方が、蛍光ランプから照射された光の影響を受け難くなり好ましい。さらに、蛍光ランプ２３から照射された光は反射板２２ｂで反射され、この反射光を照度センサ２３が検出する場合がある。このため、照度センサ３０の下端は器具本体２１の開口端よりも下方にあった方がさらに好ましい。
【００３３】
しかしながら、照度センサ３０が突出して設けられると、照度センサ３０が目立ち外観が悪くなるという問題がある。従って、照度センサ３０は、例えば蛍光ランプ２３の下端または器具本体の開口端と略同じ高さに配設するのが良い。ここで、照度センサ３０の下端とは、例えばセンサ素子３９をセンサ収納室１３内に備える場合には、開口部１６を有するケース１１の外面をいう。
【００３４】
ところが、このように照度センサ３０を蛍光ランプ２３の下端または器具本体の開口端と略同じ高さに配設すると、器具本体２１を取り付けた際に器具本体２１が変形し、照度センサ３０全体が上方へ持ち上げられることになる。仮に器具本体２１の変形量を見込んで配設していても、寸法誤差等によって、照度センサ３０を所望の位置に配設することができない場合がある。しかしながら、第２の実施形態に係る照度センサ３０に第１の実施形態に係る照度センサ３０の構成を採用することによって、照度センサ３０を目立ち難い位置に配設しながら、蛍光ランプ２３からの影響を抑制することができる。
【符号の説明】
【００３５】
１０、３０  照度センサ
１１  ケース
１５、３９  センサ素子
１６  開口部
１８  開口周縁面
２０、２０Ａ、２０Ｂ  照明器具
２１、２１Ａ、２１Ｂ  器具本体
２２  反射板
２３  蛍光ランプ
２４  天井部
３２ａ  長孔
３７  鋲体
３７ａ  ャフト
３８  突条
【先行技術文献】
【特許文献】
【００３６】
【特許文献１】特開２００６−１３３１３０号公報
【特許文献２】特開２００１−１４９３５号公報
【図１】
2011003321.tif 000003
【図２】
2011003321.tif 000004
【図３】
2011003321.tif 000005
【図４】
2011003321.tif 000006
【図５】
2011003321.tif 000007
【図６】
2011003321.tif 000008
【図７】
2011003321.tif 000009
【図８】
2011003321.tif 000010
【図９】
2011003321.tif 000011